(57)【要約】【課題】ディスクに信号を記録することが出来る光ディスク記録再生装置の記録制御方法を提供する。【解決手段】記録信号が書き込まれる第１バッファメモリー回路１１及び第２バッファメモリー回路１２を設け、第１バッファメモリー回路１１から読み出される記録信号の記録動作中ディスク１への記録動作を正常に行うことが出来ないことが検出されたとき、ディスク１への記録動作を中断させるとともに記録中断中に入力される記録信号を第２バッファメモリー回路１２に書き込み、正常状態への復帰により記録動作を開始させるとき第１バッファメモリー回路１１への記録信号の書き込み動作及び読み出し動作を再開させることによって記録動作を開始させ、記録動作が終了したとき前記第２バッファメモリー回路１２に書き込まれている記録信号を読み出してディスク１に記録する。【選択図】    図１
2004253041.tif 000002
【特許請求の範囲】
【請求項１】
記録信号をエンコード処理するとともにアドレスデータ付加をすることによってディスクに記録するように構成された光ディスク記録再生装置において、エンコード処理する記録信号が書き込まれる第１バッファメモリー回路及び第２バッファメモリー回路を設け、第１バッファメモリー回路から読み出される記録信号の記録動作中サーボ異常によりディスクへの記録動作を正常に行うことが出来ないことが検出されたとき、ディスクへの記録動作を中断させるとともに記録中断中に入力される記録信号を第２バッファメモリー回路に書き込み、サーボ異常の解消による記録動作を開始させるとき第１バッファメモリー回路への記録信号の書き込み動作及び読み出し動作を再開させることによって記録動作を開始させ、記録動作が終了したとき前記第２バッファメモリー回路に書き込まれている記録信号を読み出してディスクに記録するようにしたことを特徴とする光ディスク記録再生装置の記録制御方法。
【請求項２】
記録動作が中断されている間の記録信号を記録する空き記録領域をディスク上に設け、記録動作終了後空き記録領域に第２バッファメモリー回路から読み出された信号を記録するようにしたことを特徴とする請求項１に記載の記録制御方法。
【発明の詳細な説明】
【０００１】
【発明の属する技術分野】
本発明は、光学式ピックアップに組み込まれているレーザー素子より照射される光ビームによってディスクに信号を記録するとともに光ビームによってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップに組み込まれているレーザー素子より照射される光ビームによってディスクに信号を記録することが出来るように構成された光ディスク記録再生装置が商品化されている。
【０００３】
記録用ディスクには、プリグルーブと呼ばれる溝が設けられており、このプリグルーブより得られるウォブル信号を復調することによって時間情報、即ちディスクアドレスが得られる。そして、光ディスク記録再生装置は、ディスクより得られるディスクアドレスに基づいてデータアドレスを生成させ、このデータアドレスを記録信号に付加する処理を行ってディスクに信号を記録するように構成されている。
【０００４】
また、光ディスク記録再生装置では、外部に設けられているチューナー等より得られる記録信号のディスクへの記録動作を行うように構成されているが、斯かる記録動作はディスクに記録する信号を一旦バッファメモリー回路に書き込み、該バッファメモリー回路に記憶されている記録信号を読み出すことによってディスクへの記録動作を行うように構成されている（例えば、特許文献１参照。）。
【０００５】
【特許文献１】
特開２００３−１６７３１号公報
【０００６】
【発明が解決しようとする課題】
ディスクへの記録動作が行われている状態では、光学式ピックアップより照射されるレーザー光をディスクの信号面に合焦させるフォーカス制御動作及びレーザー光を信号記録トラックに追従させるトラッキング制御動作を行うように構成されているが、斯かる動作はフォーカスサーボ及びトラッキングサーボと呼ばれるサーボ回路によって行われている。
【０００７】
また、ディスクの回転駆動動作は、スピンドルモーターによって行われるが、斯かる回転速度制御動作は記録動作に必要な速度になるように制御する必要があるため、スピンドルサーボと呼ばれるサーボ回路によって行われている。
【０００８】
記録動作中に光ディスク記録再生装置にショックが加わると前述したサーボ回路が不調となり記録動作を性格に行うことが出来ない状況になる。そして、サーボ動作が正常に状態に復帰すると記録動作を再開することになるが、記録動作の中断から再開までの間の信号がディスクに記録されないという問題がある。
【０００９】
本発明は、斯かる問題を解決することが出来る記録制御方法を提供しようとするものである。
【００１０】
【作用】
本発明は、記録信号をエンコード処理するとともにアドレスデータ付加をすることによってディスクに記録するように構成された光ディスク記録再生装置において、エンコード処理する記録信号が書き込まれる第１バッファメモリー回路及び第２バッファメモリー回路を設け、第１バッファメモリー回路から読み出される記録信号の記録動作中サーボ異常によりディスクへの記録動作を正常に行うことが出来ないことが検出されたとき、ディスクへの記録動作を中断させるとともに記録中断中に入力される記録信号を第２バッファメモリー回路に書き込み、サーボ異常の解消による記録動作を開始させるとき第１バッファメモリー回路への記録信号の書き込み動作及び読み出し動作を再開させることによって記録動作を開始させ、記録動作が終了したとき前記第２バッファメモリー回路に書き込まれている記録信号を読み出してディスクに記録するように構成されている。
【００１１】
【実施例】
図１は本発明に係る光ディスク記録再生装置の一実施例を示すブロック回路図、図２は本発明の動作を説明するための図である。
【００１２】
図１において、１はスピンドルモーター２によって回転駆動されるターンテーブル３に載置されるディスクであり、該ターンテーブル３の回転によって回転駆動されるように構成されている。また、前記ディスク１には、ディスクアドレスがプリグルーブと呼ばれる溝によって記録されており、この溝より得られる信号に基づいて信号の記録再生動作が行われるように構成されている。
【００１３】
４はディスク１に光ビームを照射させるレーザー素子（図示せず）及び該レーザー素子より照射される光ビームのレベルをモニターするモニター用ダイオードが組み込まれているとともにディスク１の信号面より反射される光ビームを受ける光検出器が組み込まれている光学式ピックアップであり、ピックアップ送り用モーター（図示せず）によってディスク１の径方向に移動せしめられるように構成されている。
【００１４】
５は前記光学式ピックアップ４に組み込まれている光検出器から得られる信号に基づいて前記光学式ピックアップ２より出力される光ビームをディスク１の信号面に合焦させるフォーカシング制御動作及び該光ビームを前記信号面の信号トラックに追従させるトラッキング制御動作を行うピックアップ制御回路であり、フォーカスサーボ回路及びトラッキングサーボ回路が組み込まれている。６は前記スピンドルモーター６の回転動作を制御するスピンドルモーター制御回路であり、例えばディスク１より得られる同期信号に基づいて線速度一定の状態にて回転駆動するように構成されている。
【００１５】
７は前記光学式ピックアップ４に組み込まれている光検出器から得られるＲＦ信号を増幅するとともに波形整形する信号増幅回路、８は前記信号増幅回路７より出力される信号が入力されるとともに該信号からディスクアドレス信号を復調するデコーダである。
【００１６】
９は光ディスク記録再生装置の各種の動作を制御するシステム制御回路、１０は外部に設けられているチューナー等からの記録信号が入力される記録信号入力端子、１１は前記システム制御回路９によって前記記録信号入力端子１０より入力される記録信号の書き込み動作及び読み出し動作が制御される第１バッファメモリー回路、１２は前記システム制御回路９によって前記記録信号入力端子１０より入力される記録信号の書き込み動作及び読み出し動作が制御される第２バッファメモリー回路である。
【００１７】
１３は前記第１バッファメモリー回路１１及び第２バッファメモリー回路１２より読み出される記録信号が入力される入力信号制御回路であり、前記システム制御回路９によって記録される信号の選択制御動作を制御するように構成されている。１４は前記入力信号制御回路１３より出力される記録信号が入力されるエンコーダであり、システム制御回路９による制御動作によって生成されるデータアドレスや同期信号を記録信号に付加する信号処理動作を行うように構成されている。このようにして生成されるデータアドレスは、前記デコーダ８によって復調されるディスクアドレスに基づいて生成されるように構成されている。
【００１８】
１５は前記エンコーダ１４より出力される記録信号、即ち前記入力端子１０より入力される記録信号にデータアドレスや同期信号が付加されている信号が印加されるレーザー駆動回路であり、前記光学式ピックアップ４に組み込まれているレーザーダイオードに駆動電流を供給する作用を有している。１６は前記デコーダ８にて復調されるディスクアドレスが書き込まれるアドレスメモリー回路であり、その書き込み動作及び読み出し動作は前記システム制御回路９によって制御されるように構成されている。
【００１９】
以上に説明したように本発明に係る光ディスク記録再生装置は構成されているが、次に本発明の動作について説明する。まず、本実施例における正常な記録動作について説明する。
【００２０】
光ディスク記録再生装置に対して記録信号入力端子１０より入力される記録信号の記録動作を行うための制御信号が入力されると、システム制御回路９による制御動作が開始されて記録動作を行う状態になる。斯かる状態では、ピックアップ制御回路５による光学式ピックアップ４に対する制御動作が行われ、レーザー光の出力調整動作、信号面にレーザー光を合焦させるフォーカシング制御動作及び信号トラックにレーザー光を追従させるトラッキング制御動作が行われる。また、スピンドルモーター制御回路６によるスピンドルモーター２の回転駆動制御動作が行われてディスク１の回転速度を記録動作を行うための速度に制御する動作が行われる。
【００２１】
記録信号入力端子１０より入力される記録信号は、システム制御回路９の制御動作によって第１バッファメモリー回路１１へ書き込まれるとともに信号を記録するためのブロック毎にまとめて読み出される動作が行われる。前記第１バッファメモリー回路１１より読み出された記録信号は、入力信号制御回路１３に入力されるが、この場合には第１バッファメモリー回路１１より出力される記録信号を選択してエンコーダ回路１４に出力する状態にある。即ち、斯かる状態では、第２バッファメモリー回路１２への信号の書き込み動作及び読み出し動作は行われない状態にある。
【００２２】
前記入力信号制御回路１３により選択出力された第１バッファメモリー回路１１からの記録信号は、エンコーダ１４に入力されてエンコード処理される。斯かるエンコード処理によって記録信号は、デコーダ８にて抽出されるディスクアドレスに基づいて生成されるデータアドレス及び同期信号が付加されるとともに記録するためのデータ変換処理動作が行われてレーザー駆動回路１５に対して出力されることになる。斯かる信号がレーザー駆動回路１５に入力されると、該レーザー駆動回路１５から光学式ピックアップ４に組み込まれているレーザーダイオードに対して記録データに基づいた駆動信号が供給される。その結果、レーザーダイオードより発生されるレーザー光がピックアップ制御回路５による制御動作によって所望のトラックに照射されて信号のディスク１への記録動作が行われることになる。
【００２３】
以上に説明したように記録動作が正常に行われる場合の動作は行われるが、次に記録動作中にショック等が原因で光学式ピックアップ４のサーボ動作やスピンドルモーター２のサーボ動作が異常となった場合の動作について説明する。
【００２４】
サーボ動作の異常は、ピックアップ制御回路５のサーボ信号又はスピンドルモーター制御回路６のサーボ信号のレベル変化を検出することによって行うことが出来る。サーボ信号のレベル変化をシステム制御回路９が検出し、そのレベルが記録動作を維持することが出来ない状況になると判定すると、ディスク１への記録動作を中断させるための制御動作が行われる。
【００２５】
斯かる記録動作を中断させるための制御動作は、次のように行われる。記録中断動作が行われると、第１バッファメモリー回路１１からの信号の読み出し動作が中断されるとともにエンコーダ１４によるエンコード処理動作が中断され、且つレーザー駆動回路１５よりレーザーダイオードに対して供給されているレーザー出力が記録用出力から再生用の出力に変更される。従って、ディスク１の信号面に対して異常信号が記録されることはない。
【００２６】
前述したように記録中断動作は行われるが、記録動作が中断されても記録信号入力端子１０からは記録信号が入力されることになる。本発明では、斯かる記録中断動作が行われると、システム制御回路９の働きによって記録信号入力端子１０に入力される記録信号を第２バッファメモリー回路１２に書き込む動作を行う状態に切り換えられる。このようにして、記録信号入力端子１０に入力される記録信号の第２バッファメモリー回路１２への書き込み動作が行われるが、斯かる動作が行われている状況において、ピックアップ制御回路５又はスピンドルモーター制御回路６に組み込まれているサーボ回路のサーボ復帰のための制御動作が行われることになる。
【００２７】
記録動作の中断動作が行われると、前述した各動作が行われるが、アドレスメモリー回路１６には、記録動作が中断されたアドレスが記憶保持されている。そして、前述したサーボ回路の復帰動作によってディスク１への記録動作を行うことが出来る状態に復帰したことが検出されると前述した記録動作を行う状態に復帰せしめられる。斯かる復帰動作が行われると、記録信号入力端子１０に入力される記録信号の第１バッファメモリー回路１１への書き込み動作が再開されるとともに第２バッファメモリー回路１２への書き込み動作が行われなくなる。斯かる動作が行われたとき、前記第２バッファメモリー回路１２は記録中断状態にあるとき書き込まれた記録信号が記憶保持された状態になる。
【００２８】
前述した動作が行われてディスク１への信号の記録動作が再開されるが、斯かる記録信号の記録開始位置は、中断状態にあるとき記録されていない信号を記録するための領域を空けた位置になるように設定される。即ち、図２において、Ａ点が記録中断位置であり、Ｂ点が記録開始位置である。Ａ点のアドレスは、アドレスメモリー回路１６に記憶されており、Ｂ点は記録動作が中断されている時間や第２バッファメモリー回路１２に記憶されているデータ量に基づいて演算することが出来る。
【００２９】
このようにして記録動作が再開されると、ディスク１上のＡ−Ｂ間に信号が記録されない空き記録領域Ｃが形成されることになる。Ｂ点から記録動作が開始されて記録動作が終了すると、記録信号入力端子１０より入力される信号の記録動作は行われなくなる。このような状況になると、システム制御回路９の制御動作によって光学式ピックアップ４をＡ点に移動させるとともに第２バッファメモリー回路１２に記憶されている記録信号を読み出すための動作、そして入力信号制御回路１３に対しては、第２バッファメモリー回路１２から読み出された記録信号をエンコーダ１４に出力させるための制御動作が行われる。
【００３０】
斯かる動作が行われると、第２バッファメモリー回路１２にから読み出された記録信号、即ち記録動作が中断されている間に書き込まれた記録信号がエンコーダ１４によってエンコード処理された後レーザー駆動回路１５に印加され、該レーザー駆動回路１５からレーザーダイオードに駆動信号が供給されるのでディスク１への記録動作が行われる。そして、斯かる場合の記録動作は、前述した空き記録領域Ｃに記録されることになる。従って、記録中断動作が行われても記録信号入力端子１０から入力される全ての信号の記録動作を支障なく行うことが出来る。
【００３１】
尚、本実施例では、第１バッファメモリー回路１１と第２バッファメモリー回路１２の２つのメモリーを設けたが、１つの容量が大きなメモリー回路を設け、その記憶領域を分割して使用することによって構成することは勿論可能である。また、第２バッファメモリー回路１２に記憶されている信号のディスク１への記録動作が終了した後は、該第２バッファメモリー回路１２に記憶されている信号の消去動作を行ったり、記憶されている位置に次の記録中断動作時に入力される信号を書き込むことが出来るようにすれば良い。
【００３２】
【発明の効果】
本発明は、エンコード処理する記録信号が書き込まれる第１バッファメモリー回路及び第２バッファメモリー回路を設け、第１バッファメモリー回路から読み出される記録信号の記録動作中サーボ異常によりディスクへの記録動作を正常に行うことが出来ないことが検出されたとき、ディスクへの記録動作を中断させるとともに記録中断中に入力される記録信号を第２バッファメモリー回路に書き込み、サーボ異常の解消による記録動作を開始させるとき第１バッファメモリー回路への記録信号の書き込み動作及び読み出し動作を再開させることによって記録動作を開始させ、記録動作が終了したとき前記第２バッファメモリー回路に書き込まれている記録信号を読み出してディスクに記録するようにしたので、記録動作中にサーボ異常による記録中断動作が行われても記録中断状態にあるときに入力された記録信号の記録動作を行うことが出来る。
【図面の簡単な説明】
【図１】本発明に係る光ディスク記録再生装置の一実施例を示すブロック回路図である。
【図２】本発明の記録制御方法を説明するための図である。
【符号の説明】
１        ディスク
２        スピンドルモーター
４        光学式ピックアップ
５        ピックアップ制御回路
６        スピンドルモーター制御回路
８        デコーダ
９        システム制御回路
１１        第１バッファメモリー回路
１２        第２バッファメモリー回路
１３        入力信号制御回路
１４        エンコーダ
１５        レーザー駆動回路
１６        アドレスメモリー回路
【図１】
2004253041.tif 000003
【図２】
2004253041.tif 000004